(57)【特許請求の範囲】
【請求項１】
閉鎖空間の通風口を利用して、該通風口から前記閉鎖空間の雰囲気を流出させて、前記閉鎖空間における生物体が排出するＣＯ２ガスまたは体臭成分を計測することにより、該生物体の有無を確認する検知方法であって、
前記閉鎖空間の通風口を利用するときに、前記通風口の先端を覆う気密性のフィルムまたは布であるポリマー製布の袋体を用い、該袋体はＣＯ２ガスセンサまたは体臭成分に応答を示すセンサに連通されているとともに、前記通風口を挿入する開口に気密を保持する伸縮性固定部材である結合部が設けられており、
前記通風口の先端に対して、前記袋体の開口を覆い被せ、前記結合部を絞り上げて、前記通風口の先端を覆うときに密封する検知方法。
【請求項２】
通風口が給気口および排気口からなり、該給気口に気流を押し込むことで該排気口に気流を流出させる請求項１の検知方法。
【請求項３】
閉鎖空間に接続されるＣＯ２ガスセンサまたは体臭成分に応答を示すセンサを備え、該ＣＯ２ガスセンサまたは体臭成分に応答を示すセンサの出力に基づいて生物体の有無を確認する検知装置であって、
前記閉鎖空間の通風口の先端を覆う開口を有し、前記ＣＯ２ガスセンサまたは体臭成分に応答を示すセンサに連通されている、気密性のフィルムまたは布であるポリマー製布の袋体と、前記通風口を挿入する前記開口に気密を保持する伸縮性固定部材である結合部とを備え、
前記袋体は、前記通風口の先端に対して、前記袋体の開口を覆い被せ、前記結合部を絞り上げて、前記通風口の先端を覆うときに密封することを特徴とする検知装置。
【請求項４】
通風口が給気口および排気口からなり、該給気口にポンプを設けて気流を押し込み、該排気口に気流を流出させる請求項３の検知装置。
【発明の詳細な説明】
【０００１】
【産業上の利用分野】
本発明は、閉鎖空間内の雰囲気から、例えば生物体の有無を検出する検知方法および装置に関する。
【０００２】
【従来の技術】
従来、倉庫など無人を確認すべき場所において、人の存在は、心拍による所定周波数の音、あるいは、体温に基づく赤外線などを検出して判別していた。このような、閉鎖空間内の状況については、外部からその内部をセンシングすることは難しく、予め内部にセンサを設けておくことになる。
【０００３】
【発明が解決しようとする課題】
予めセンサが設置されている閉鎖空間でなければ、その内部の調査は困難となってしまうが、例えば、人の存在について、震災のときに、閉鎖空間内に人が閉じ込められているかどうかは判別できず、救助活動が遅れることになる。
【０００４】
また、本来入退室のできない倉庫などに対して、子供やペットを探索することは難しい。
【０００５】
このような、閉鎖空間の状況を簡便に検出する方法および装置が望まれている。
【０００６】
【課題を解決するための手段】
上記の点に鑑み、この発明では、閉鎖空間の通風口を利用して、該通風口から前記閉鎖空間の雰囲気を流出させて、前記閉鎖空間における生物体が排出するＣＯ２ガスまたは体臭成分を計測することにより、該生物体の有無を確認する検知方法であって、前記閉鎖空間の通風口を利用するときに、前記通風口の先端を覆う気密性のフィルムまたは布であるポリマー製布の袋体を用い、該袋体はＣＯ２ガスセンサまたは体臭成分に応答を示すセンサに連通されているとともに、前記通風口を挿入する開口に気密を保持する伸縮性固定部材である結合部が設けられており、前記通風口の先端に対して、前記袋体の開口を覆い被せ、前記結合部を絞り上げて、前記通風口の先端を覆うときに密封する検知方法である。
また、通風口が給気口および排気口からなり、該給気口に気流を押し込むことで該排気口に気流を流出させる検知方法である。
【０００７】
また、閉鎖空間に接続されるＣＯ２ガスセンサまたは体臭成分に応答を示すセンサを備え、該ＣＯ２ガスセンサまたは体臭成分に応答を示すセンサの出力に基づいて生物体の有無を確認する検知装置であって、前記閉鎖空間の通風口の先端を覆う開口を有し、前記ＣＯ２ガスセンサまたは体臭成分に応答を示すセンサに連通されている、気密性のフィルムまたは布であるポリマー製布の袋体と、前記通風口を挿入する前記開口に気密を保持する伸縮性固定部材である結合部とを備え、前記袋体は、前記通風口の先端に対して、前記袋体の開口を覆い被せ、前記結合部を絞り上げて、前記通風口の先端を覆うときに密封することを特徴とする検知装置である。
また、通風口が給気口および排気口からなり、該給気口にポンプを設けて気流を押し込み、該排気口に気流を流出させる検知装置である。
【００１０】
【発明の実施の形態】
以下、この発明の実施の形態について、図面に基づき説明する。
【００１１】
図１は、この発明を利用した一実施形態として閉鎖空間の検知装置を示す概略構成図である。１は地下倉庫のような閉鎖空間であり、通気口として給気口２ａおよび排気口２ｂを備えている。３は袋体であり、袋体３には開口が設けられていて、排気口２ｂの先端開口を包み込むとともに、その袋体３の開口を気密に封じる結合部４を備えている。５は袋体３によって排気口２ｂに接続された吸引ポンプ、６は吸引ポンプ５の袋体３とは逆側に接続されたＣＯ２ガスセンサ（二酸化炭素センサ）、７はＣＯ２ガスセンサ６の検出値に基づいて生物体の存在等を判別して表示する表示パネル、８は吸引ポンプ５、ＣＯ２ガスセンサ６および表示パネル７の電源を供給する電源装置である。なお、吸引ポンプ５は、ＣＯ２ガスセンサ６の後方であってもよいことはもちろんである。
【００１２】
上記検知装置の実施方法について説明する。例えば地下倉庫のような閉鎖空間１に作業員が閉じ込められている、あるいはペットの犬が迷い込んだ可能性があるときに、閉鎖空間１の内部の状況を検出する必要がある。そのときに、図１のような、袋体３、吸引ポンプ５、ＣＯ２ガスセンサ６、表示パネル７、電源装置８を組み立てて用意する。
【００１３】
上記検知装置を組み立てるときに、閉鎖空間１の排気口２ｂに袋体３を接合するが、閉鎖空間１が地下倉庫のような場合には、給気口２ａおよび排気口２ｂはいわゆる排気筒のような形状で構成されていることが多い。この筒状等による排気口２ｂの開口する先端に対して、袋体３の開口を覆い被せて、排気口２ｂと吸引ポンプ５とを結合させる。このとき、袋体３の開口は余裕を持って大きく形成されていることになるが、そのままでは外れてしまうおそれとともに、吸引ポンプ５の作動時に外気を同時に吸い込んでしまうことがあり、そのときには閉鎖空間１の雰囲気を正確に検出することができないので、伸縮性を有する結合部４によって気密に封じ込む。当然、排気口２ｂの形状によって完全に封じ込むことは困難であるが、この場合、閉鎖空間１内の雰囲気を吸引できる密封度でよく、また、密封度が足りない場合には別の手段で高ずる必要がある。
【００１４】
このように検知装置を構成し、吸引ポンプ５を起動すると閉鎖空間１内部の雰囲気は排気口２ｂを介してＣＯ２ガスセンサ６に到達し、その出力から閉鎖空間１内に生物体の存在するかどうかの判別結果が表示パネル７に表示される。この表示パネル７の表示内容は、ＣＯ２ガスセンサ６の出力に基づくレベル表示であってもよく、操作者が表示されるレベルに基づいて判別すればよく、いずれでも生物体の有無を確認することができる。
【００１５】
なお、人の場合、平静時の成人呼吸により排出される呼吸のＣＯ２濃度は約４．４％であり、１分間の呼吸回数は平均１６回程度あり、１時間では一人当たり約２０リットルのＣＯ２ガスを排出する。実験例として、閉鎖空間の一例として容積約２１立方メートルの部屋に二人で２時間滞在していると、その場の雰囲気は約０．４％のＣＯ２濃度が検出された。当然、部屋の環境によって換気効率が異なり、また継続時間等の関係で増減があるが、室内のＣＯ２濃度が人の存在によって増加することは明らかである。このような場合、０．１％のレベルで人の有無を判別すればよく、場合によって設定できることが好ましい。
【００１６】
この検知装置における袋体３には、ナイロン、ＰＥＴ等のフィルムや布による気体不透過性のポリマー布が用いられ（ポリエチレン、ポリプロピレンなど、プラスチックフィルムは用いることができる）、また、結合部４には、紐、粘着テープ、ゴムバンドまたは伸縮リング等の伸縮性を有する部材が用いられる（材質に制限はなく、絞り上げることのできる部材でよい）。
【００１７】
また、ＣＯ２ガスセンサ６として、光音響方式によるセンサを用いることができるが、この検出原理は、対象気体に赤外線を照射するときに特定の波長（ＣＯ２は約４．３マイクロメートル等）に吸収が起こり気体分子の内部エネルギーが増加して密封容器内において圧力上昇として測定されるもので、具体的には、赤外線光源を所定周期で点滅させ、微笑圧力変化をマイクロフォンで測定することができ、この出力はガス濃度に比例する。この光音響方式や非分散型赤外線方式は、その他の固体電解質方式や光波干渉方式などに比べて選択性が高く、干渉ガスの影響を受けない。
【００１８】
つぎに、図２は、この発明を利用した第２の実施形態として閉鎖空間の検知装置を示す概略構成図である。図１と同様に、１は地下倉庫のような閉鎖空間であり、通気口として給気口２ａおよび排気口２ｂを備えている。３は袋体、６はＣＯ２ガスセンサ、７は表示パネル、８は電源装置である。
【００１９】
この図２における検知装置において、図１の検知装置との相違点については、閉鎖空間１内の雰囲気をＣＯ２ガスセンサ６に送出するためのポンプの配置として、排気口２ｂの吸引ポンプ５（図１）の代わりに、給気口２ａに給気ポンプ５１を配置している。すなわち、図１の場合に、閉鎖空間１内の雰囲気は、排気口２ｂから吸引ポンプ５が吸引することで、給気口２ａからの外気補充とともに、閉鎖空間１内の雰囲気がそのまま引き出されてＣＯ２ガスセンサ６に到達することとなり、また、図２の場合に、閉鎖空間１内の雰囲気は、給気口２ａから給気ポンプ５１が外気を押し込むことで、排気口２ｂから押し出されてＣＯ２ガスセンサ６に到達することとなる。なお、図２の場合には、袋体３が排気口２ｂ側だけでなく給気口２ａ側にも設けているが、給気口２ａ側の気密はそれほど必要でない。
【００２０】
上記各実施形態の検知装置において、ＣＯ２ガスセンサ６と閉鎖空間１との接続について、給気口２ａまたは排気口２ｂ（各実施形態において給気口２ａと排気口２ｂとを逆に利用してもよい）の通気口を利用して接続しているが、ＣＯ２ガスセンサ６からサンプリング管を延ばし通気口を通して閉鎖空間１内に到達させて、そのサンプリング管を介してＣＯ２ガスセンサ６と接続してもよい。
【００２１】
また、閉鎖空間１内の状態を袋体３および結合部４を用いて雰囲気を搬出するときのセンサとして、上記各実施形態ではＣＯ２ガスセンサ６を用いているが、その他のセンサであってもよく、生物体を検出するには体臭などをニオイセンサで検出してもよく、さらにガス分析装置を用いて気体成分の分析を行ってもよい。ニオイセンサは、芳香、悪臭に関わらず有臭成分を検出できるセンサでよく、体臭成分に応答を示すセンサでよい。
【００２２】
さらに、閉鎖空間１は、地下倉庫以外に、居室、コンテナ、洞道、ダクト、タンク等、種々の用途で用いることができ、閉鎖空間１として通風口がなくとも内部の雰囲気を引き出せる開口を形成することで、検知が可能になる。
【００２３】
以上、各実施形態におけるこの発明として、閉鎖空間における生物体が排出するＣＯ２ガスまたは体臭成分を計測することにより、ＣＯ２ガスセンサまたは体臭成分に応答を示すセンサによって簡便に検出することができ、生物体の有無を確認することが可能である。
【００２４】
また、閉鎖空間の通風口を利用して、通風口から閉鎖空間の雰囲気を流出させてＣＯ２ガスまたは体臭成分を計測し、さらに、通風口が給気口および排気口からなり、給気口に気流を押し込むことで排気口に気流を流出させることによって、閉鎖空間の外部において簡便に検出することができる。
【００２５】
さらに、通風口の先端を覆う袋体を用い、袋体はＣＯ２ガスセンサまたは体臭成分に応答を示すセンサに連通されているとともに、袋体に通風口を挿入する開口に気密保持のための結合部が設けておくことにより、閉鎖空間からＣＯ２ガスセンサまたは体臭成分に応答を示すセンサまで、雰囲気が希釈することなくそのままの状態で到達させることができる。
【図面の簡単な説明】
【図１】この発明の一実施形態を示す概略構成図。
【図２】図１同様、第２の実施形態を示す概略構成図。
【符号の説明】
１    閉鎖空間
２ａ  給気口
２ｂ  排気口
３    袋体
４    結合部
６    ＣＯ２ガスセンサ
【図１】
0003781338.tif 000002
【図２】
0003781338.tif 000003